(57)【要約】【課題】ずれ防止機能に優れると共に取り付けも容易な椅子用座布団を提供する。  【解決手段】座布団１はクッション材１４を表皮材１５で包んだ本体１６と、その前後に設けた固定用バンド１８，１９とで構成されている。固定用バンド１８，１９は先窄まり形状であり、基端の左右横幅は本体１６の左右横幅の半分以上の寸法になっている。固定用バンド１８，１９の基端の左右横幅が大きいためずれ防止機能に優れる一方、固定用バンド１８，１９の先端は幅狭であるため手で扱い易くて着脱もワンタッチ的に行える。滑り止め部２２を設けると好適である。【選択図】図１
2014042656.tif 000002
【特許請求の範囲】
【請求項１】
左右の脚体で支持された硬質材製座板に使用する座布団であって、
クッション材を布又はその他の可撓性表皮材で包んだ偏平状の本体と、前記本体の前端部と後端部とに取り付けられた前後一対の薄シート製の固定用バンドとを有しており、前記前後の固定用バンドに、当該前後の固定用バンドを前記座板の下面側において部分的に重ねた状態に保持する着脱自在な係止手段を設けている構成において、
前記前後の固定用バンドは、先端から基端に向けて左右横幅が小さくなる形態であると共に、基端の左右横幅は前記本体の左右横幅の半分以上の寸法であり、かつ、前記両固定用バンドの少なくとも先端側の部位にそれぞれ前記係止手段を設けている、
椅子用座布団。
【請求項２】
前記前後の固定用バンドは基端から先端に向けて左右横幅が徐々に小さくなる台形の形状であり、これら固定用バンドの先端側の部位に、前記係止手段として面ファスナーを設けている、
請求項１に記載した椅子用座布団。
【請求項３】
前記前後の固定用バンドは、前後長さが異なっていると共にいずれも前記本体より短い前後長さであり、前後固定用バンドの面ファスナのうちいずれか一方又は両方は前後方向に長い帯状の形態になっている、
請求項２に記載した椅子用座布団。
【請求項４】
前記本体の裏面に摩擦係数の大きい素材からなる滑り止め部を設けており、前記滑り止め部が前記本体に重ねられた前記固定用バンドで隠れるように設定されている、
請求項１〜３のうちの何れかに記載した椅子用座布団。
【発明の詳細な説明】
【技術分野】
【０００１】
本願発明は、木製椅子のように座板が硬質材から成っている椅子に使用する座布団に関する。
【背景技術】
【０００２】
木製座板が露出している椅子は、例えば児童・生徒用の学習机や教室・講堂用の椅子として多用されているが、座板は硬いため、長い時間使用し続けているとお尻が痛くなる問題がある。この点は、剥き出しの樹脂製座板を有する椅子においても同じである。そこで、硬質材から成る座板を露出させたタイプの椅子に使用する座布団が種々提案されている。
【０００３】
座布団はクッションを表皮材で覆った本体を有するが、椅子用座布団にとっての問題はずれたり落ちたりしないように位置と姿勢を保持することであり、このための手段として特許文献１には、本体の下面に熱可塑性エラストマーから成る摩擦層を設けることが記載されており、特許文献２には、本体の四隅に固定用の紐を設けると共に下面に滑り止め用凹凸を設けることが記載されており、更に特許文献３には、座板の前端部と後端部とを横長の笠木で支持した椅子において、本体の前端と後端とに左右横長の固定用バンドを取り付け、これら固定用バンドを椅子の笠木に面ファスナで取り付けることが記載されている。
【０００４】
また、特許文献４には、折り畳み式車椅子用の座板として、本体の前端と後端とに布製の固定用バンドを設けて、これら固定用バンドを座板の下面に巻き込ませて重ね合わせ、前後の固定用バンドを面ファスナで連結することが記載されている。
【先行技術文献】
【特許文献】
【０００５】
【特許文献１】実開昭６３−１４０２５２号のマイクロフィルム
【特許文献２】実用新案登録第３０９６００２号公報
【特許文献３】特許第３１６１３７４号公報
【特許文献４】特開平１０−１９２０８１号公報
【発明の概要】
【発明が解決しようとする課題】
【０００６】
特許文献１のように本体の下面に摩擦層を設けただけでは、使用者が身体を浮かすと座布団がずれ動いてしまうことがあり、位置・姿勢の保持機能が万全とは言い難い。他方、特許文献２のように四隅に設けた紐で縛る方式は四本の足を有するタイプの椅子にしか適用できない問題がある。また、特許文献３の場合も、座板の前部と後部とが笠木で支持された構造の椅子にしか適用できない問題がある。
【０００７】
これに対して特許文献４のものは、座板を座布団で前後両側から包み込むものであるため、座板の下面がオープンになっている椅子に広く適用できる利点がある。しかし、特許文献４では固定用バンドは単純な等幅の帯状の形態に過ぎないため、その左右横幅が小さいと座布団がずれ動きやすくなる問題があり、さりとて、固定用バンドの左右横幅を本体の左右横幅程度に大きくすると、ずれ防止機能は向上するものの、面ファスナを左右方向に長く配置せねばならないため、座板への着脱（固定用バンド同士の連結・分離）が面倒になるという問題がある。
【０００８】
本願発明はこのような現状に鑑み成されたものであり、ずれ防止機能を確保しつつ取り付けも容易な座布団を提供することを主たる目的とするものである。
【課題を解決するための手段】
【０００９】
本願発明は、左右の脚体で支持された硬質材製座板に使用する座布団に関し、請求項１の発明では、この座布団は、クッション材を布又はその他の可撓性表皮材で包んだ偏平状の本体と、前記本体の前端部と後端部とに取り付けられた前後一対の薄シート製の固定用バンドとを有しており、前記前後の固定用バンドに、当該前後の固定用バンドを前記座板の下面側において部分的に重ねた状態に保持する着脱自在な係止手段を設けている構成において、前記前後の固定用バンドは、先端から基端に向けて左右横幅が小さくなる形態であると共に、基端の左右横幅は前記本体の左右横幅の半分以上の寸法であり、かつ、前記両固定用バンドの少なくとも先端側の部位にそれぞれ前記係止手段を設けている。
【００１０】
本願発明は更に様々な構成を有しており、その例を請求項２以下で特定している。このうち請求項２の発明は、請求項１において、前記前後の固定用バンドは基端から先端に向けて左右横幅が徐々に小さくなる台形の形状であり、これら固定用バンドの先端側の部位に、前記係止手段として面ファスナを設けている。
【００１１】
請求項３の発明は、請求項２において、前記前後の固定用バンドは、前後長さが異なっていると共にいずれも前記本体より短い前後長さであり、前後固定用バンドの面ファスナのうちいずれか一方又は両方は前後方向に長い帯状の形態になっている。
【００１２】
請求項４の発明は、請求項１〜３のうちの何れかにおいて、前記本体の裏面に摩擦係数の大きい素材からなる滑り止め部を設けており、前記滑り止め部が前記本体に重ねられた前記固定用バンドで隠れるように設定されている。
【発明の効果】
【００１３】
本願発明では、固定用バンドの付け根は本願発明の左右横幅の半分以上の寸法があるため、固定用バンドの基端部を座板の前部と後部とに左右に広い範囲で当てることができる。このため、本体が水平旋回するようなずれ動きを的確に阻止して、高い安定性を確保できる。固定用バンドの付け根の左右横幅はできるだけ広いのが好ましく、本体部の左右横幅と同じ横幅であるのが最適であるが、本体の左右横幅の７割程度以上あると、ずれ防止機能はより的確に発揮されて好適であると言える。
【００１４】
そして、固定用バンドは先端部が基端部より幅狭の先窄まり形状であるため、先端部同士を係止することで、前後の固定用バンドは互いに重なり合った状態に素早く係止・分離できる。つまり、固定用バンドは先窄まりであることにより、係止部の左右配置エリアを狭くしつつ固定用バンド同士を重ね合わせた状態に保持できるため、前後の固定用バンドは互いに重なり合った状態に素早く係止・分離できるのであり、これにより、座布団の着脱を迅速に行える。
【００１５】
固定用バンドの先窄まり形態は様々に具体化できるが、請求項２のように台形の形状を採用すると、単純な形状であるため加工を簡単に行える利点や、先端を引っ張ることで全体をピンと張った状態に保持できる利点がある。また、係止手段としては、例えば押し込み式のホックも採用できるが、請求項３のように面ファスナを使用すると、単に押し付けたり引っ張ったりするだけでよいため着脱の迅速性に優れていると共に、前後固定用バンドの面ファスナ同士が部分的に重なり合っておれば連結できるため、座板の厚さや大きさの相違にも対応できる利点がある。また、座板の下面に左右横長の補強桟を設けている場合があるが、請求項２の構成は、補強桟の有無にも的確に対応できる。
【００１６】
前後の固定用バンドは座板の下面において係止するため、係止手段同士の係止位置はなるべく手前側か後ろ側に位置しているのが好ましい。この点、請求項３のように前後の固定用バンドの前後長さを異ならせると、係止手段である面ファスナの係止位置を座板の手前側寄り又は後ろ側寄りにずらすことができるため、座布団の着脱に際して手を座板の奥に入り込ませる寸法をできるだけ小さくでき、このため、座布団の取り付けの容易性に一層貢献できる。
【００１７】
請求項４のように摩擦式の滑り止め部を併用すると、座布団のずれ動きをより的確に防止できて好適である。また、流通段階でも滑り止め部は固定用バンドに隠れて見えないため、特に流通段階での美感に優れている利点がある。
【図面の簡単な説明】
【００１８】
【図１】（Ａ）は椅子と第１実施形態の座布団との分離斜視図、（Ｂ）は座布団を裏返した状態での斜視図である。
【図２】（Ａ）は椅子の一部破断平面図、（Ｂ）は（Ａ）のＢ−Ｂ視断面図、（Ｃ）は（Ｂ）の部分拡大図である。
【図３】（Ａ）は固定用バンドを広げた状態での底面図、（Ｂ）は固定用バンドを畳んだ状態での底面図、（Ｃ）は（Ｂ）の右側面図である。
【図４】（Ａ）は固定用バンドを広げた状態での底面図、（Ｂ）は（Ａ）の右側面図である。
【図５】固定用バンドを畳んだ状態の斜視図である。
【図６】第２実施形態の分離要部断面図である。
【図７】滑り止め部の具体例である第３実施形態の図である。
【図８】第４〜第７実施形態を示す図である。
【発明を実施するための形態】
【００１９】
(1).第１実施形態
次に、本願発明の実施形態を図面に基づいて説明する。まず、図１〜図５に示す第１実施形態から説明する。図１に示すように、本実施形態の座布団１は、学習机（図示せず）とセットで使用される木製椅子２に適用される。
【００２０】
椅子２は、側面視で鉛直線に対して後傾した左右一対の側枠３を備えており、木製の座板４と足載せ台５と背もたれ６とが左右側枠３に取り付けられている。座板４はほぼ平面視四角形の形態であり、左右側部の下面にそれぞれブラケット板７を固定し、ブラケット７を側枠３の内側面にビスで固定している。なお、ブラケット板７は高さを段階的に変えて側枠３に固定することができる。従って、座板４の高さを段階的に調節することができる。ブラケット板７は側枠３の手前に露出しており、かつ、座板４のうち前側のある程度の範囲はブラケット板７の手前でオーバーハングしている。
【００２１】
足載せ台５と背もたれ６とは、左右の側枠３に直接に取り付けられている。足載せ台５の左右側部は側枠３の内面に設けた支持溝８に嵌まっており、支持溝８を複数段設けることにより、足載せ台５の高さを複数段（３段）に切り替えることができる。もとより、座板４も足載せ台５も高さを変更できない状態に取り付けてもよい。背もたれ６は一定の高さに固定されているが、これを高さ調節式とすることも可能である。
【００２２】
側枠３の下端には前後長手の水平枠９が固定されており、水平枠９と側枠３とは、鉛直線に対して前傾した板状の補強枠１０で連結されている。従って、本実施形態では、側枠３と水平枠９と補強枠１０とで左右の脚体が構成されている。水平枠９の前部と後部とにはキャスタ１１を設けている。また、左右の水平枠９は前後の補強バー１２で連結されている。
【００２３】
座布団１は、主要部材として座板４とほぼ同じ大きさで平面視四角形の板状のクッション材１４を備えており、このクッション材１４の全体を布等の表皮材１５で覆うことによって本体１６を構成している。なお、クッション材１４は発泡ウレタンのような発泡性樹脂から成っている。表皮材１５は上側地１５ａと下側地１５ｂとを別々の布地で構成しており、上側地１５ａと下側地１５ｂとの縫着ライン１９は、クッション材１４の外周面の上下中間部に位置している。
【００２４】
本体１６の前面と後面とには、布等の可撓性素材から成る前部固定用バンド１８と後部固定用バンド１９とを取り付けている。固定用バンド１８，１９は基端から先端に向けて左右横幅が小さくなる台形（先窄まり）の形状であり、基端の左右横幅Ｌ１は本体１６の左右横幅Ｌ０より若干小さい寸法に設定し、先端の左右横幅Ｌ２は、本体１６の左右横幅Ｌ０の半分〜１／４程度の寸法に設定している。
【００２５】
固定用バンド１８，１９の左右横幅Ｌ１を本体１６の左右横幅Ｌ０よりも少し小さい寸法に設定しているのは、ブラケット板７との干渉を回避するためである。ブラケット板７の板厚は１５〜２５ｍｍ程度が多いので、固定用バンド１８，１９の付け根は片側で２０〜３０ｍｍ程度短かくしたら十分である。Ｌ１はＬ０の８割程度あったら十分であり、Ｌ２は１００〜１５０ｍｍ程度であると扱いやすい。ずれ防止という点から見るとＬ１はＬ０と同じ寸法であるのが最適であるが、少なくともブラケット板７との干渉を回避できる程度の左右横幅があるようにできるだけ広幅に設定するのが好ましい。
【００２６】
前後の固定用バンド１８，１９の前後長さは、本体１６の前後長さの半分よりもやや大きい寸法に設定しており、かつ、前部固定用バンド１８の前後長さを後部固定用バンド１９の前後長さより少し長く設定している。そして、前部固定用バンド１８の前部の裏面と後部固定用バンド１９の前部の表面とに、係止手段の一例として左右一対ずつの面ファスナ２０，２１を設けている。
【００２７】
従って、後部固定用バンド１９が座板４の下面に重なって、後部固定用バンド１９に対して前部固定用バンド１８が下から重なり、その状態で両者の面ファスナ１８，１９が引っ掛かり係止することで、両後部固定用バンド１８，１９は連結された状態に保持され、これにより、座布団１が座板４に取り付けられる。なお、前部固定用バンド１８と後部固定用バンド１９との用語の使い分けは便宜的なものであり、実際の使用に当たっては前後の区別はなく、前部固定用バンド１８が後ろになることもある。
【００２８】
面ファスナ２０，２１は前後方向に長い帯状の形態であり、前部固定用バンド１８の面ファスナ２０の前後長さを、後部固定用バンド１９の面ファスナ２１の前後長さよりも座板４の板厚寸法程度だけ長くしている。このため、図２のように座布団１を座板４に取り付けた状態でも、図３のように後部固定用バンド１８，１９を本体１６に重ねた状態でも、後部固定用バンド１９の面ファスナ２１の全長に亙って前部固定用バンド１８の面ファスナ２０が重なっている。
【００２９】
前後の固定用バンド１８，１９は、表皮材１５を構成する上側地１５ａ及び下側地１５ｂとは別の生地で構成することも可能であるし、下側地１５ｂ又は上側地１５ａと一体に連続した状態に構成することも可能である。また、後部固定用バンド１８，１９は本体１６の上下中間部（すなわち、上側地１５ａと下側地１５ｂとの縫着部）に取り付けているが、本体１６の前後端面の上端や下端に取り付けることも可能である。
【００３０】
本体１６の下面（すなわち下側地１５ａの下面）のうち平面視（或いは底面視）で中央部に、円形の滑り止め部２２を設けている。滑り止め部２２は、熱可塑性エラストマーのような軟質樹脂膜を使用しており、下側地１５ｂに一体成形によって接着している。但し、使用しているうちに周縁部が捲れる現象を生じやすいので、周縁部を下側地１５ｂに縫着しておくのが好ましい。また、滑り止め部２２は後部固定用バンド１８，１９で隠れる大きさに設定している。このため、流通段階で滑り止め部２２が露出することはなくて体裁がよい。敢えて述べるまでないが、滑り止め部２２は多角形や楕円形などの任意の形態を採用できる。
【００３１】
既述のとおり、座布団１は、本体１６を座板４の上に載せてから、まず後部固定用バンド１９を上向きに起こして座板４の下面に重ねて、その状態を保持しつつ前部固定用バンド１８を上向きに起こして後部固定用バンド１９に重ねて面ファスナ２０，２１を互いに係止することにより、座板４にずれ不能に取り付けられる。
【００３２】
そして、固定用バンド１８，１９の付け根は本体１６の左右横幅の８割以上の寸法があるため、座布団１を座板４の前端と後退とにしっかりと保持してずれを的確に阻止できる。特に、本実施形態のように滑り止め部２２を設けると、ずれ防止機能がより的確に発揮される。また、固定用バンド１８，１９は先窄まりになっているため、それら固定用バンド１８，１９の先端部は垂れ落ちない状態に片手で保持することができるのであり、このため、固定用バンド１８，１９同士を正確に重なった状態に簡単に係止できる。
【００３３】
図では表示していないが、固定用バンド１８，１９の外周部は折り返されて２枚重ね状に逢着されており、両固定用バンド１８，１９に腰が付与されている。このため、取り付けに際しての垂れ下がりを防止して正確に重ね合わせることができる。なお、図４に一点鎖線で示すように、前後の後部固定用バンド１８，１９のうちいずれか一方又は両方に抜き穴２３を設けることも可能である。
【００３４】
前後固定用バンド１８，１９の先端部に１枚ずつの面ファスナ２０，２１を設けることも可能であるが、この場合は面ファスナ２０，２１の面積が大きくなってコストが嵩むおそれがある。これに対して、本実施形態のように面ファスナ２０，２１を左右一対ずつとして前後長手の形態にすると、面ファスナ２０，２１の面積をできるだけ少なくしてコストを抑制しつつ、座板４の厚さ・大きさの違いにも対応できる利点がある。
【００３５】
(2).他の実施形態
次に、図６以下に示す他の実施形態を説明する。図６に示す第２実施形態では、固定用バンド１８，１９に、保形手段として樹脂シートのように適度の腰を持つ補助板２３を縫着又は貼着し、この補助板２３に面ファスナ２０，２１のような係止手段を設けている。この実施形態では、固定用バンド１８，１９はその先端部を手で掴むことなく平らな状態に保持されているため、取り付けをより簡単に行える。
【００３６】
図７に示すのは滑り止め部２２の具体例である第３実施形態であり、この滑り止め部２２は第１実施形態の滑り止め部２２にそのまま適用できる。この実施形態の滑り止め部２２はエラストマーのようなゴム質の樹脂から成っているが、左右方向に長く延びる樹脂の群を並列状に設けた形態を成しており、前後方向に隣り合った樹脂線は互いに繋がっている。従って、前後方向のずれに対して大きな摩擦抵抗を発揮する。座布団１は前後方向にずれる傾向を呈するので、この実施形態の滑り止め部２２を採用すると、樹脂の使用量を抑制しつつ高い滑り止め効果を発揮できる利点がある。
【００３７】
滑り止め部２２は下側地１５ｂに接着されているが、周縁部はミシン糸２５で下側地１５ｂに逢着されている。このため、長期に亙って使用しても、滑り止め部２２が捲れるようなことはない。
【００３８】
図８では固定用バンド１８，１９の別例を示している。このうち（Ａ）に示す第４実施形態では、固定用バンド１８，１９はその基端部に本体１６の左右横幅と同じ横幅の平行部２６が設けられていて、全体として左右対称の五角形になっている。この実施形態では、姿勢安定性はより一層向上する。
【００３９】
（Ｂ）に示す第５実施形態では固定用バンド１８，１９を三角形に形成している。この実施形態では、固定用バンド１８，１９は、その先端を指で持つことで平らな状態に簡単に保持できる利点がある。
【００４０】
（Ｃ）に示す第６実施形態では、固定用バンド１８，１９の側面を外向き凹に湾曲させており、（Ｄ）に示す第７実施形態では、固定用バンド１８，１９の側面を外向き凸に湾曲させている。
【００４１】
(3).その他
本願発明は上記の実施形態の他にも様々に具体化できる。例えば本体は平面視四角形である必然性はなく、例えば平面視円形とすることも可能である（この場合は、固定用バンドの一部が座板の上面に重なることになる。）。また、前部固定用バンドと後部固定用バンドとは同じ形状・大きさに設定してもよい。表皮材や後部固定用バンドは、織地、編地、天然又は人工皮革などの様々な材料を使用できる。
【００４２】
係止手段として面ファスナを使用する場合、一方の固定用バンドのみに多数の鉤片をから成る面ファスナを設けて、他方の固定用バンドは不織布やパイル生地のような目の粗い編地とすることで面ファスナ機能を持たせることも可能である。
【００４３】
滑り止め部を設ける場合、例えば散点状や蜘蛛の巣状など、様々の構造・態様を採用できる。滑り止め部は本体の下面全体に設けることも可能である。係止手段としては、押し込み式のホックや引っ掛け式の鉤状フックなども採用可能である。敢えて述べるまでもないが、本体の周囲に縁飾り付加することも可能である。
【００４４】
また、本実施形態の座布団は従来にないデザインであり、意匠登録の対象にもなり得る。その場合、図５のように流通段階で固定用バンド１８，１９を重ね合わせた態様は独自の美感を有しており、裏面での固定用バンド１８，１９の重なり合いを特徴として部分意匠として捉えることも可能である。
【産業上の利用可能性】
【００４５】
本願発明は椅子用座布団として具体化できる。従って、産業上の利用性を有する。
【符号の説明】
【００４６】
１  座布団
２  椅子
３  椅子の脚体を構成する側枠
４  座板
１４  クッション材
１５  表皮材
１５ａ  上側地
１５ｂ  下側地
１６  本体
１８  前部固定用バンド
１９  後部固定用バンド
２０，２１  係止手段の一例としての面ファスナ
２２  滑り止め部
【図１】
2014042656.tif 000003
【図２】
2014042656.tif 000004
【図３】
2014042656.tif 000005
【図４】
2014042656.tif 000006
【図５】
2014042656.tif 000007
【図６】
2014042656.tif 000008
【図７】
2014042656.tif 000009
【図８】
2014042656.tif 000010